(57)【要約】【課題】通過帯域幅が広く、スプリアス特性を向上させた帯域通過フィルタを提供する。【解決手段】導波管内部に、両方のＥ面８Ａ、８Ｂと非接触のアイリス３を備える帯域通過フィルタ５。導波管は、両方のＥ面８Ａ、８Ｂのうちの一方８Ａで分割された本体１及び第１のカバー２Ａと、両方のＥ面のうちの他方８Ｂで分割された本体１及び第２のカバー２Ｂとで構成できる。本体１の内部に突出する長さにより導波路の伝送周波数を調整する周波数調整ビス６、本体１の内部に突出する長さにより導波路の結合度を調整する結合度調整ビス７を設けることもでき、アイリス３を、導波管の中心線に対して対称または非対称に配置することができる。【選択図】  図１
2004350170.tif 000002
【特許請求の範囲】
【請求項１】
導波管内部に、両方のＥ面と非接触のアイリスを備えることを特徴とする帯域通過フィルタ。
【請求項２】
前記導波管は、前記両方のＥ面のうちの一方で分割された本体及び第１のカバーと、前記両方のＥ面のうちの他方で分割された本体及び第２のカバーとを備えることを特徴とする請求項１記載の帯域通過フィルタ。
【請求項３】
前記本体の内部に突出する長さにより導波路の伝送周波数を調整する周波数調整ビスを備えることを特徴とする請求項２記載の帯域通過フィルタ。
【請求項４】
前記本体の内部に突出する長さにより導波路の結合度を調整する結合度調整ビスを備えることを特徴とする請求項２または３記載の帯域通過フィルタ。
【請求項５】
前記アイリスを、前記導波管の中心線に対して非対称に配置したことを特徴とする請求項１乃至４のいずれかに記載の帯域通過フィルタ。
【発明の詳細な説明】
【０００１】
【発明の属する技術分野】
本発明は、帯域通過フィルタに関し、特に、マイクロ波伝送路に用いられ、誘導性窓により帯域通過特性を得る帯域通過フィルタに関する。
【０００２】
【従来の技術】
従来のマイクロ波伝送路に用いられる帯域通過フィルタには、誘導性窓により帯域通過特性を得るものがある。この帯域通過フィルタの一例として、例えば、特許文献１に記載の帯域通過フィルタは、図３に示すように、一方のＥ面１８Ｂで２分割された本体１１及びカバー１２と、他方のＥ面１８Ａで片側が短絡されたアイリス（導体板）１３により仕切られた空間（共振器）１４とで構成される。
【０００３】
このように構成された帯域通過フィルタ１５は、アイリス１３とカバー１２とが完全に非接触構造であるため、安定した電気特性が得られる。さらに、図４に示すように、帯域通過フィルタ１５に、周波数調整ビス１６や結合度調整ビス１７等を設けることにより、所望の特性に調整することができる。
【０００４】
【特許文献１】
特開平７−１５２０９号公報
【０００５】
【発明が解決しようとする課題】
しかし、上記従来の帯域通過フィルタ１５においては、カバー１２とアイリス１３との開口部（隙間）が基本波のすぐ上のモードであるＴＥ２０モードが通過可能な程広くなるため、高域でスプリアス特性が劣化するという問題があった。これは、特に、通過帯域幅が広い時により顕著に現れる。ここで、ＴＥ２０モードが通過し難い程度までこの開口部を狭くすると、通過帯域幅を広く取ることができないという問題があった。一方、、通過帯域幅を広げると、上記開口部がより広くなるため、スプリアスが発生しやすくなるという問題があった。
【０００６】
そこで、本発明は、上記従来の帯域通過フィルタにおける問題点に鑑みてなされたものであって、通過帯域幅を広く取ることができるとともに、スプリアス特性を向上させた帯域通過フィルタを提供することを目的とする。
【０００７】
【課題を解決するための手段】
上記目的を達成するため、本発明は、帯域通過フィルタであって、導波管内部に、両方のＥ面と非接触のアイリスを備えることを特徴とする。
【０００８】
そして、本発明によれば、従来、導波管内にアイリスを配置することによって形成される導波管端の開口部が片側に片寄っていたが、本発明では、開口部を両側に分割することができるため、各々の開口部を小さくすることができ、同一通過帯域幅で比較した場合に高調波が通過し難くなり、スプリアス特性を向上させることができる。
【０００９】
上記帯域通過フィルタにおいて、前記導波管を、前記両方のＥ面のうちの一方で分割された本体及び第１のカバーと、前記両方のＥ面のうちの他方で分割された本体及び第２のカバーとで構成することができる。
【００１０】
また、前記本体の内部に突出する長さにより導波路の伝送周波数を調整する周波数調整ビスや、前記本体の内部に突出する長さにより導波路の結合度を調整する結合度調整ビスを設けることができる。
【００１１】
さらに、前記アイリスは、両Ｅ面に接触しない条件下で、前記導波管の中心線に対して対称または非対称に配置することができる。
【００１２】
【発明の実施の形態】
次に、本発明の実施の形態について図面を参照しながら説明する。
【００１３】
図１は、本発明にかかる帯域通過フィルタの一実施の形態を示し、この帯域通過フィルタ５は、導電材からなり、両側面が開口した本体１と、両Ｅ面８Ａ、８Ｂで分割可能に構成されるとともに、本体１の両開口を覆う導電材からなるカバー２Ａ、２Ｂと、本体１に一体に形成され、両Ｈ面９Ａ、９Ｂに接触し、両Ｅ面８Ａ、８Ｂと非接触の導電材からなるアイリス３とを備え、共振器４が複数個連続して形成される。本発明は、アイリス３を両Ｅ面８Ａ、８Ｂと非接触としたことが特徴である。
【００１４】
図３及び図４に示した従来の帯域通過フィルタ１５では、アイリス１３が片側のＥ面１８Ａに接触しているため、開口部は一端に集中して広くなっている。一方、本発明にかかる帯域通過フィルタ５では、上記構成により、導波管の両端に２つに分かれた開口部ができるため、個々の開口部は同一通過帯域幅で比較すると従来のものよりも狭くすることができる。このため、高域のスプリアスがこの開口部を通過し難くなっている。
【００１５】
図５は、本発明にかかる帯域通過フィルタの試験例として、１８ＧＨｚ帯の広帯域通過特性を、上記本発明にかかる帯域通過フィルタ５と従来の帯域通過フィルタ１５とで比較したグラフである。同図に示すように、本発明にかかる帯域通過フィルタは、従来のものよりも高域のスプリアス特性が改善されていることが判る。
【００１６】
図２は、本発明にかかる帯域通過フィルタの他の実施の形態を示し、この帯域通過フィルタ５は、本体１の内部に突出する長さにより導波路の伝送周波数を調整することのできる複数の周波数調整ビス６と、本体１の内部に突出する長さにより導波路の結合度を調整することのできる複数の結合度調整ビス７を備える。これらによって、帯域通過フィルタ５を所望の特性に調整することができる。尚、図示した周波数調整ビス６及び結合度調整ビス７は、すべて必要とは限らず、必要な箇所にのみ配置することができる。
【００１７】
また、図１及び図２において、アイリス３を導波管の中心線に対して対称に配置したが、アイリス３は、両Ｅ面８Ａ、８Ｂに接触しない条件下で導波管の中心線に対して非対称であってもよく、対称配置と非対称配置とを組み合わせることもできる。
【００１８】
【発明の効果】
以上説明したように、本発明によれば、通過帯域幅を広く取ることができ、スプリアス特性を向上させた帯域通過フィルタを提供することができる。
【図面の簡単な説明】
【図１】本発明にかかる帯域通過フィルタの一実施の形態を示す図であって、（ａ）はカバーを外した状態を示す正面図、（ｂ）は縦断面図である。
【図２】本発明にかかる帯域通過フィルタのもう一つの実施の形態を示す図であって、（ａ）はカバーを外した状態を示す正面図、（ｂ）は縦断面図である。
【図３】従来の帯域通過フィルタの一例を示す図であって、（ａ）はカバーを外した状態を示す正面図、（ｂ）は縦断面図である。
【図４】従来の帯域通過フィルタのもう一つの例を示す図であって、（ａ）はカバーを外した状態を示す正面図、（ｂ）は縦断面図である。
【図５】本発明及び従来の帯域通過フィルタの広帯域通過特性を比較したグラフである。
【符号の説明】
１        本体
２（２Ａ、２Ｂ）        カバー
３        アイリス
４        共振器
５        帯域通過フィルタ
６        周波数調整ビス
７        結合度調整ビス
８（８Ａ、８Ｂ）        Ｅ面
９（９Ａ、９Ｂ）        Ｈ面
【図１】
2004350170.tif 000003
【図２】
2004350170.tif 000004
【図３】
2004350170.tif 000005
【図４】
2004350170.tif 000006
【図５】
2004350170.tif 000007